(57)【要約】【課題】  カメラ付き携帯電話の小型化・軽量化を図る。【解決手段】  着信の報知モードとして鏡胴動作モードがセットされた状態で着信したら、鏡胴を撮影光学系の光軸に沿って移動させることにより着信を報知する。ステップＳ１１０で鏡胴の移動を開始する。鏡胴の移動速度が設定値より遅く、鏡胴が駆動機構により定まる移動限界端部に達したことが確認されたとき（Ｓ１１４でＹＥＳ）、若しくは鏡胴が設定された移動速度で移動中、移動範囲の先端位置に達したことが確認されたとき（Ｓ１２０でＹＥＳ）、移動方向を反転させる。所定時間が経過したら（Ｓ１２４でＹＥＳ）、鏡胴の移動速度を上げ、移動範囲を拡大する。着信に対する応答がなくＭＡＸ時間が経過するまで、鏡胴の往復運動を継続する。【選択図】        図５
2005318062.tif 000002
【特許請求の範囲】
【請求項１】
撮影光学系と、
前記撮影光学系を保持する鏡胴と、
前記撮影光学系の合焦動作若しくはズーミング動作を行うべく前記鏡胴を駆動するための駆動手段と、
電話若しくは電子メールの着信時、当該着信を報知する報知手段とを備え、
前記報知手段は、前記駆動手段を制御し前記鏡胴を駆動することにより着信を報知することを特徴とするカメラ付き携帯電話。
【請求項２】
前記報知手段は、前記着信時、前記鏡胴が前記撮影光学系の光軸に沿った往復運動を繰り返すよう、前記駆動手段を制御することを特徴とする請求項１に記載のカメラ付き携帯電話。
【請求項３】
前記報知手段は、前記着信時から所定時間の経過と共に、前記鏡胴の往復運動における移動範囲を徐々に大きくし、かつ移動速度を徐々に速くすることを特徴とする請求項２に記載のカメラ付き携帯電話。
【請求項４】
前記撮影光学系を介して被写体の光学像が形成される撮像素子が駆動されているとき、電話若しくは電子メールが着信すると、前記報知手段は、前記鏡胴の駆動は行わないことを特徴とする請求項１乃至３のいずれかに記載のカメラ付き携帯電話。
【請求項５】
前記報知手段は、画像データ及び諸情報を表示するための表示手段に、着信した旨表示することを特徴とする請求項４に記載のカメラ付き携帯電話。
【請求項６】
前記報知手段は、音声により着信した旨報知することを特徴とする請求項４に記載のカメラ付き携帯電話。
【請求項７】
画像を取得するための撮影光学系を有するカメラ付き携帯電話であって、
電話若しくは電子メールの着信を、前記撮影光学系を保持する鏡胴を駆動することにより報知する第１の報知モードと、
前記着信を音声により報知する第２の報知モードと、
前記着信を画像表示により報知する第３の報知モードとを備えることを特徴とするカメラ付き携帯電話。
【請求項８】
前記第１乃至第３の報知モードのいずれかを設定する報知モード設定手段を備えることを特徴とする請求項７に記載のカメラ付き携帯電話。
【請求項９】
撮影光学系と、
前記撮影光学系を保持する鏡胴と、
前記撮影光学系の合焦動作若しくはズーミング動作を行うべく前記鏡胴を駆動するための駆動手段とを備え、
前記駆動手段が、電話若しくは電子メールの着信を報知する報知手段を兼用することを特徴とするカメラ付き携帯電話。
【請求項１０】
電話若しくは電子メールの着信を検知する第１ステップと、
前記着信を検知したら、撮影光学系を保持する鏡胴を光軸に沿って往復運動させることにより前記着信を報知する第２ステップとを備えることを特徴とするカメラ付き携帯電話の着信報知方法。
【請求項１１】
前記第２ステップは、
前記鏡胴が往復運動の範囲の境界位置に達していたら前記鏡胴の移動方向を反転させる第３ステップと、
所定時間の経過が確認されたら前記鏡胴の移動速度をアップする第４ステップと、
前記所定時間の経過が確認されたら前記鏡胴の往復運動の範囲を広げる第５ステップとを備えることを特徴とする請求項１０に記載のカメラ付き携帯電話の着信報知方法。
【発明の詳細な説明】
【技術分野】
【０００１】
本発明は、カメラ機能を備える携帯電話に関する。
【背景技術】
【０００２】
携帯電話には通話機能やメール機能に加えてカメラ機能を備えたものがある。このような携帯電話は撮影光学系とＣＣＤを搭載している。被写体の光学像は撮影光学系によりＣＣＤの受光面に結像され、結像した光学像はＣＣＤにおいて光電変換され、被写体の画像データが取得される。
【特許文献１】特開２０００−１８４０１３号公報
【発明の開示】
【発明が解決しようとする課題】
【０００３】
携帯電話は使用者の利便性の観点から、より一層の小型化・軽量化が要求される。ところが、カメラ付き携帯電話は、従来の機能を実現するための部品に加え、ＣＣＤや撮影光学系等の部品を搭載しなければならず小型化・軽量化が困難である。また、部品点数が増加することによりコストも高くなるという問題もある。
【０００４】
本発明は、以上の問題を解決するものであり、カメラ付き携帯電話の小型化・軽量化を目的とする。
【課題を解決するための手段】
【０００５】
本発明に係るカメラ付き携帯電話は、撮影光学系と、撮影光学系を保持する鏡胴と、撮影光学系の合焦動作若しくはズーミング動作を行うべく鏡胴を駆動するための駆動手段と、電話若しくは電子メールの着信時、当該着信を報知する報知手段とを備え、報知手段は、駆動手段を制御し鏡胴を駆動することにより着信を報知することを特徴とする。
【０００６】
好ましくは、報知手段は、電子メール等の着信時、鏡胴が撮影光学系の光軸に沿った往復運動を繰り返すよう、駆動手段を制御する。
【０００７】
より好ましくは、報知手段は、着信時から所定時間の経過と共に、鏡胴の往復運動における移動範囲を徐々に大きくし、かつ移動速度を徐々に速くするよう制御してもよい。
【０００８】
好ましくは、撮影光学系を介して被写体の光学像が形成される撮像素子が駆動されているとき、電話若しくは電子メールを着信すると、報知手段は、鏡胴の駆動は行わない。この場合、報知手段は、選択的に、画像データ及び諸情報を表示するための表示手段に、着信した旨表示するか、あるいは音声により着信した旨報知する。
【０００９】
また、本発明に係るカメラ付き携帯電話は、画像を取得するための撮影光学系を有し、電話若しくは電子メールの着信を、撮影光学系を保持する鏡胴を駆動することにより報知する第１の報知モードと、着信を音声により報知する第２の報知モードと、着信を画像表示により報知する第３の報知モードとを備えることを特徴とする。
【００１０】
好ましくは、第１乃至第３の報知モードのいずれか１つ、あるいは複数のモードを組合わせて設定する報知モード設定手段を備える。
【００１１】
また、本発明に係るカメラ付き携帯電話は、撮影光学系と、撮影光学系を保持する鏡胴と、撮影光学系の合焦動作若しくはズーミング動作を行うべく鏡胴を駆動するための駆動手段とを備え、駆動手段が、電話若しくは電子メールの着信を報知する報知手段を兼用することを特徴とする。
【００１２】
また、本発明に係るカメラ付き携帯電話の着信報知方法は、電話若しくは電子メールの着信を検知する第１ステップと、着信を検知したら、撮影光学系を保持する鏡胴を光軸に沿って駆動することにより着信を報知する第２ステップとを備えることを特徴とする。
【００１３】
好ましくは、第２ステップは、鏡胴が往復運動の範囲の境界位置に達していたら鏡胴の移動方向を反転させる第３ステップと、所定時間の経過が確認されたら鏡胴の移動速度をアップする第４ステップと、所定時間の経過が確認されたら鏡胴の往復運動の範囲を広げる第５ステップとを備える。
【発明の効果】
【００１４】
以上のように、本発明によれば、カメラ付き携帯電話において、カメラ機能の一部を構成する鏡胴を駆動することにより、着信が報知される。従って、着信報知のための特別な部材を搭載する必要がなく、部品点数の増加が抑制され、携帯電話全体の小型化が図られる。
【発明を実施するための最良の形態】
【００１５】
図１（ａ）は本発明に係る実施形態が適用されるカメラ付き携帯電話の正面図、図１（ｂ）は同携帯電話の背面図である。また、図２（ａ）は図１の携帯電話を背面から示す斜視図、図２（ｂ）は同携帯電話の側面図である。アンテナ２０は携帯電話１０の上端部に設けられる。携帯電話１０の正面１０Ａには、プッシュボタン等の複数の操作ボタンを有する操作部３０が設けられる。操作部３０の上方には各種画像を表示するディスプレイ４０が配設され、下方にはマイク５０が配設される。ディスプレイ４０の上方にはスピーカ６０が配設される。携帯電話１０の側面には、パソコン等の外部機器を接続するための外部インターフェース７０が設けられている。
【００１６】
携帯電話１０の背面１０Ｂにおいて、上端部近傍には、撮影光学系８０が保持される鏡胴８１、及びストロボ９０が配設される。鏡胴８１は撮影光学系８０の光軸に沿って移動可能である。鏡胴８１を移動させることにより撮影光学系８０の合焦動作、若しくはズーミング動作が行われる。図２（ａ）（ｂ）は、鏡胴８１が撮影光学系８０の光軸に沿って移動され携帯電話１０の筐体に対して所定量繰り出された状態を示す。
【００１７】
図３は携帯電話１０のブロック図である。ＣＰＵ１１は携帯電話１０全体を制御する。アンテナ２０が電波を受信すると、無線部２１においてその電波をベースバンド信号に戻す復調処理が行われる。復調されたベースバンド信号はＣＰＵ１１へ入力される。無線部２１から入力されるベースバンド信号は、ＣＰＵ１１によりオーディオインターフェース６１へ出力される。これらの信号はオーディオインターフェース６１で所定の音声信号処理が施され、スピーカ６０を介して音声として再生される。
【００１８】
マイク５０により集音された音はオーディオインターフェース６１により所定の音声処理が施されＣＰＵ１１へ入力される。ＣＰＵ１１で処理されたデータ（ベースバンド信号）は無線部２１へ送られる。無線部２１では、データをアンテナ２０から電波として送るための変調処理を施す。
【００１９】
使用者により操作部３０の操作ボタンが操作されると、対応する入力信号がＣＰＵ１１へ入力される。ＣＰＵ１１では入力信号に応じた処理が実行され、制御信号が適宜出力される。
【００２０】
ＣＣＤ１００の受光面には撮影光学系８０を介して被写体の光学像が形成される。ＣＰＵ１１からの制御信号に基づいてＣＣＤ駆動回路１０１からＣＣＤ１００へ駆動信号が出力されると、被写体の光学像は光電変換される。そして、ＣＣＤ１００から画像処理ユニット１０２へ被写体のアナログ画像信号が出力される。画像処理ユニット１０２では、アナログ画像信号がＡ／Ｄ変換され、所定の画像処理が施される。画像処理が施されたデジタル画像信号は、画像データとしてメモリ１０３に格納される。
【００２１】
ＣＰＵ１１からの制御信号に基づいてレンズ駆動モータドライバ８２からレンズ駆動モータ８３へ駆動信号が出力されると、レンズ駆動モータ８３が回転される。レンズ駆動モータ８３の回転運動は伝達機構（図示せず）を介して鏡胴８１へ伝達される。その結果、鏡胴８１が撮影光学系８０の光軸に沿って駆動され、撮影光学系８０の合焦、ズーミング等が行われる。
【００２２】
鏡胴８１の近傍にはロータリエンコーダ８４が配設されている。ロータリエンコーダ８４からは鏡胴８１の駆動量及び駆動方向に応じたパルス信号が出力される。ロータリエンコーダ８４のパルス信号はＣＰＵ１１へ入力される。ＣＰＵ１１ではこのパルス信号に基づいて鏡胴８１の駆動量及び駆動方向が演算される。
【００２３】
ディスプレイ４０はバック・ライトのＬＥＤ４１と共に用いられる。ディスプレイ４０には、操作部３０の操作状況を示すデータ、メモリ１０３に格納された画像データ、電話及び電子メールの着信を報知するメッセージ等が適宜表示される。
【００２４】
被写体の輝度が低いとき、ＣＰＵ１１からの制御信号に基づいてストロボ９０が駆動され、照明光が被写体に照射される。また、外部機器とＣＰＵ１１との間におけるデータの送受信は外部インターフェース７０を介して行われる。尚、ＣＰＵ１１をはじめとする上述の各部を駆動するための電力は電源部１１０から供給される。
【００２５】
図４及び図５は、電話若しくは電子メールが着信した場合の処理手順を示すフローチャートである。ステップＳ１００で無線部２１からの入力信号がチェックされ、電話若しくは電子メールの着信が確認されたらステップＳ１０２へ進む。ステップＳ１０２では、着信報知モードが鏡胴動作モードであるかチェックされる。本実施形態において、着信報知モードには、鏡胴動作モード、音声モード、画面表示モードがある。鏡胴動作モードとは、鏡胴８１を撮影光学系８０の光軸に沿って往復移動させることにより着信を使用者に報知するモードである。音声モードとは、スピーカ６０から音声を出力することにより着信を報知するモードである。画像表示モードとは、ディスプレイ４０に所定のメッセージを表示することにより着信を報知するモードである。これらのモードは、使用者が操作部３０を適宜操作することによりセットされる。尚、着信報知モードはいずれか１つのモードのみセットすることも可能であり、また、複数のモードを組合わせてセットすることも可能である。
【００２６】
ステップＳ１０２において、鏡胴動作モード以外の着信報知モードがセットされていることが確認されたらステップＳ１０４へ進む。ステップＳ１０４では、セットされている着信報知モードに応じて、着信の報知処理が行われる。
【００２７】
一方、ステップＳ１０２において鏡胴動作モードがセットされていることが確認されたらステップＳ１０６へ進む。ステップＳ１０６ではカメラ機能が動作中かチェックされる。すなわち、ＣＣＤ１００が駆動されており、撮影光学系８０を介して結像された被写体の光学像の光電変換処理中であるか否かが確認される。カメラ機能が動作中の場合、鏡胴８１を移動してしまうと被写体の光学像の合焦状態が乱され、撮影に支障をきたす。従って、鏡胴動作モードがセットされている場合であっても、着信を報知するための鏡胴８１の移動は行うべきではない。そこで、ステップＳ１０６において、カメラ機能が動作中であることが確認されたら、ステップＳ１０８へ進み、音声若しくはメッセージの画面表示により着信が報知される。尚、使用者により音声モードが選択されていない場合は、音声による報知は行われない。
【００２８】
ステップＳ１０６においてカメラ機能が動作していないことが確認されたら図５のステップＳ１１０へ進む。ステップＳ１１０では鏡胴８１を駆動するための初期処理が行われる。初期処理では、鏡胴８１が基本位置へ位置決めされ、鏡胴８１の往復運動の移動範囲及び移動速度がそれぞれ初期値に設定される。また、時間経過を計測するためのタイマが作動させられる。
【００２９】
鏡胴８１の基本位置とは、鏡胴８１が携帯電話１０の筐体内へ最も引き込まれたときの位置である。本実施形態において、往復移動は常に基本位置を基準として行われる。すなわち、往復運動の移動範囲は移動方向が反転する２つの境界位置により定まるが、本実施形態においてこの境界位置の一方は常に基準位置である。尚、本明細書では、基準位置と共に移動範囲を定義する他方の境界位置を「先端位置」と呼ぶ。また、駆動機構の構成により定まる鏡胴８１の移動範囲の限界を「移動限界端部」と呼ぶ。すなわち、移動限界端部の一方は基本位置であり、他方は鏡胴８１の繰出し量が最大となる位置である。
【００３０】
上述の初期処理が行われた後、ＣＰＵ１１の制御に基づいて鏡胴８１の移動が開始される。ＣＰＵ１１はロータリエンコーダ８４の出力信号をモニタし、そのパルス数をカウントすることにより鏡胴８１の位置、及び移動速度の算出を行う。そして、鏡胴８１が設定された移動範囲内を設定された移動速度で往復運動するよう、制御信号をレンズ駆動モータドライバ８２へ出力する。ＣＰＵ１１からの制御信号に基づいてレンズ駆動モータドライバ８２からレンズ駆動モータ８３へ駆動信号が出力され、レンズ駆動モータ８３が回転し、鏡胴８１の往復移動が開始される。
【００３１】
次いでステップＳ１１２へ進み、鏡胴８１の実際の移動速度が、現在設定されている移動速度と比較される。ステップＳ１１２において、実際の移動速度が現在設定されている移動速度より遅いことが確認されたら、ステップＳ１１４へ進む。ステップＳ１１４では、鏡胴８１が上述の移動限界端部のいずれかに達しているかチェックされる。
【００３２】
ステップＳ１１４において、鏡胴８１が移動限界端部のいずれにも達していないことが確認されたら、ステップＳ１１６へ進む。鏡胴８１の移動速度が設定速度よりも遅いにもかかわらず鏡胴８１が移動限界端部に達していない場合とは、何らかの要因により鏡胴８１の移動が妨害されている場合である。例えば、携帯電話が鞄の中にあり、他の収納物等に押されて鏡胴８１がスムーズに移動できないような状況が考えられる。このような場合に、鏡胴８１の往復運動を継続させようとすることは、部材の破損等を招くおそれがある。そこでステップＳ１１６では、鏡胴８１の格納処理、すなわち鏡胴８１の往復運動の停止及び基準位置への位置づけが行われる。次いでステップＳ１１８へ進み、音声（スピーカ６０）若しくは画面表示（ディスプレイ４０）により着信の報知処理が実行される。一方、ステップＳ１１４において鏡胴８１が移動限界端部に達していることが確認されたらステップＳ１２２へ進む。
【００３３】
ステップＳ１１２において、鏡胴８１の実際の移動速度が現在設定されている移動速度より遅くないことが確認されたら、ステップＳ１２０へ進む。ステップＳ１２０では、鏡胴８１が移動範囲の先端位置に達しているか確認される。鏡胴８１が先端位置にあることが確認されたらステップＳ１２２へ進む。
【００３４】
ステップＳ１２２では、鏡胴８１の移動方向を反転させる制御信号がＣＰＵ１１から出力される。その結果、鏡胴８１が先端位置にあるときは、その移動方向が先端位置から基準位置へ向かう方向へ反転され、鏡胴８１が基準位置にあるときは、その移動方向が基準位置から先端位置へ向かう方向へ反転される。以上のように、本実施形態においては、鏡胴８１が移動限界端部に達したとき、若しくは鏡胴８１が設定された移動速度で移動中、先端位置に達したとき、その移動方向を反転させる処理が行われる。移動方向の反転処理が行われたら、ステップＳ１２４へ進む。尚、ステップＳ１２０で鏡胴８１が先端位置に達していない場合、鏡胴８１は設定された移動範囲内にあるため、ステップＳ１２２の移動方向の反転処理はスキップされる。
【００３５】
ステップＳ１２４では、所定時間が経過したかタイマーによりチェックされる。所定時間の経過が確認されたら、ステップＳ１２６へ進む。ステップＳ１２６では、鏡胴８１の移動速度の設定値がより速く設定しなおされ、次いでステップＳ１２８において、鏡胴８１の往復運動の移動範囲の設定値がより大きく設定しなおされる。換言すれば、先端位置が携帯電話１０の筐体からより突出した位置に設定しなおされる。移動速度及び移動範囲が新たに設定されたらステップＳ１３０へ進む。一方、ステップＳ１２４において、所定時間がまだ経過していないことが確認された場合は、ステップＳ１２６及びＳ１２８の処理はスキップされ、ステップＳ１３０へ進む。
【００３６】
ステップＳ１３０では、着信に対する応答があったか否かがチェックされる。この応答の有無は、操作部３０からＣＰＵ１１に入力される入力信号により判断される。ステップＳ１３０において応答があったことが確認されたらステップＳ１３２へ進み、応答処理が実行される。この応答処理では、鏡胴８１の格納処理、すなわち鏡胴８１の往復運動の停止及び基準位置への位置づけが行われる。
【００３７】
一方、ステップＳ１３０において着信に対する応答が確認されない場合、ステップＳ１３４へ進む。ステップＳ１３４では、ＭＡＸ時間が経過したかタイマーによりチェックされる。ＭＡＸ時間が経過したことが確認されたらステップＳ１３６へ進む。ステップＳ１３６では、ステップＳ１１６、Ｓ１３２と同様の鏡胴８１の格納処理が実行される。次いでステップＳ１３８へ進み、着信を報知するメッセージ若しくはアイコン等をディスプレイ４０に表示する。ステップＳ１３４でＭＡＸ時間がまだ経過していないことが確認されたら、ステップＳ１１２へ戻り、上述の処理が繰り返される。このように、ＭＡＸ時間が経過するまでは鏡胴８１の往復運動が繰り返されるが、往復運動により着信を報知しているにもかかわらず使用者が何ら応答しないままＭＡＸ時間が経過すると、鏡胴８１の移動は停止され、基準位置へ位置づけられる。
【００３８】
以上のように、本実施形態では、カメラ付きの携帯電話１０において、撮影光学系８０を保持する鏡胴８１が着信時の報知に兼用されている。従って、着信報知のためのバイブレータ等の特別な部材を搭載する必要がない。その結果、カメラ機能を搭載した携帯電話において、音声や画像による報知以外の着信報知を可能にすると共に、小型化・軽量化が図られる。
【００３９】
尚、本実施形態では鏡胴８１の移動量及び移動方向をロータリエンコーダ８４により検知し、モータ駆動にフィードバックする制御を行っているが、これに限るものではない。モータにステッピングモータを用い、駆動ステップ数をカウントするオープンループ制御を行ってもよい。
【図面の簡単な説明】
【００４０】
【図１】本願発明に係る実施形態が適用されるカメラ付き携帯電話の正面図及び背面図である。
【図２】図１の携帯電話を背面から示す斜視図及び側面図である。
【図３】カメラ付き携帯電話のブロック図である。
【図４】着信があったときの処理の前半部分を示すフローチャートである。
【図５】着信があったときの処理の後半部分を示すフローチャートである。
【符号の説明】
【００４１】
１０  カメラ付き携帯電話
１１  ＣＰＵ
４０  ディスプレイ
６０  スピーカ
８１  鏡胴
８２  レンズ駆動モータドライバ
８３  レンズ駆動モータ
８４  ロータリエンコーダ
【図１】
2005318062.tif 000003
【図２】
2005318062.tif 000004
【図３】
2005318062.tif 000005
【図４】
2005318062.tif 000006
【図５】
2005318062.tif 000007